(57)【特許請求の範囲】
【請求項１】
軸方向に対して垂直な方向に着磁された棒状の磁石と、
該磁石が設けられる棒状のマグネットホルダと、
ベースと、
該ベース上に設けられ、前記マグネットホルダを回転可能に支持する第１及び第２の回転支持部と、
前記マグネットホルダの回転範囲を180°未満に規制するストッパ機構と、
前記マグネットホルダの周縁部に設けられ、前記マグネットホルダを巻回するように配設されたコイルとを具備し、
前記ストッパ機構によって前記マグネットホルダのそれ以上の回転が規制された状態では、前記磁石の磁力線と前記コイルの磁力線とが交差するようになっていることを特徴とする外部磁界機構。
【請求項２】
前記ストッパ機構は、前記第１の回転支持部に対向する前記マグネットホルダの端面上に設けられ、前記ベースに当接可能なストッパ突起であることを特徴とする請求項１記載の外部磁界機構。
【請求項３】
前記ベースの前記ストッパ突起当接部と前記ストッパ突起とのうち少なくとも一方は弾性体であることを特徴とする請求項１又は２記載の外部磁界機構。
【請求項４】
前記第１の回転支持部に形成され、前記マグネットホルダの端面方向に延出するシャフト部と、前記マグネットホルダの前記第１の回転支持部との対向する端面の中心に穿設され、前記シャフト部が嵌合する穴と、前記穴の底部に配設されるボールと、を具備することを特徴とする請求項１乃至３いずれかに記載の外部磁界機構。
【請求項５】
前記第２の回転支持部の前記マグネットホルダ対向する面の中心に形成されたくぼみと、前記マグネットホルダの前記第２の回転支持部と対向する面に形成されたくぼみと、前記２つのくぼみ間に配設されるボールと、を具備することを特徴とする請求項１乃至４いずれかに記載の外部磁界機構。
【請求項６】
前記第１及び第２の回転支持部は、前記マグネットホルダの軸方向に予圧がかかるように前記ベースに設けられることを特徴とする請求項１乃至５いずれかに記載の外部磁界機構。
【請求項７】
前記ベースと前記マグネットホルダとの線膨張係数は略等しいことを特徴とする請求項１乃至６いずれかに記載の外部磁界機構。
【請求項８】
前記コイルの前記マグネットホルダの軸方向に対向する二辺に磁性体を配設したことを特徴とする請求項１乃至７いずれかに記載の外部磁界機構。
【発明の詳細な説明】
【０００１】
【産業上の利用分野】
本発明は、光磁気ディスク装置に用いられる外部磁界機構に関する。
【０００２】
【従来の技術】
光磁気ディスク装置において、データの記録，消去時には、磁気光学効果を利用するので、光磁気ディスクに対して垂直な一定以上の磁界を加える外部磁界機構が必要である。更に、光磁気ディスクに加える磁界の方向は、データ記録時と、消去時とは逆方向である。
【０００３】
図４は特開平２−３０１００１号公報に記載された外部磁界発生装置の平面図、図５は図４における断面図である。
これらの図において、２００はコイル、２０１はコイル２００内で回転可能に設けられ、幅方向に着磁された磁石である。
【０００４】
このような構成において、コイル２００に電流を流すと、ある方向の磁界がコイル２００の中心に発生し、磁石２０１にはコイルの磁界の方向と同一方向の磁界を発生する位置にならしめる回転力が発生し、磁石２０１は回転し、光磁気ディスク２０２に磁界が印加される。
【０００５】
次に、先程とは逆方向の電流をコイル２００に流すと、コイル２００の中心に発生する磁界は先程とは逆方向となり、磁石２０１は反転し、光磁気ディスク２０２には、先程とは逆方向の磁界が印加される。
【０００６】
【発明が解決しようとする課題】
しかし、上記構成の外部磁界機構においては、下記のような問題点がある。
（１）  磁石２０１の磁力線の方向と、コイル２００の磁力線の方向とが一致している場合、コイルの逆方向の電流を流しても、磁石２０１には回転力が発生せず、磁石の反転ができない。
【０００７】
（２）  コイル２００に通電していない時、磁石２０１は回転自在となり、磁石２０１による磁界が光磁気ディスク２０２に記録されているデータに悪影響を及ぼす場合がある。
【０００８】
（３）  コイル２００により回転駆動された磁石２０１が静止する迄に時間がかかる。
（４）  騒音が大きい。
【０００９】
本発明は、簡単な構成で、確実に磁石を回転でき、短時間で静止し、しかも、コイルに通電していない場合は光磁気ディスクに影響を与えない外部磁界機構を提供することにある。
【００１０】
【課題を解決するための手段】
上記課題を解決する発明は、軸方向に対して垂直な方向に着磁された棒状の磁石と、前記磁石が設けられる棒状のマグネットホルダと、ベースと、該ベース上に設けられ、前記マグネットホルダを回転可能に支持する第１及び第２の回転支持部と、前記マグネットホルダの回転範囲を180°未満に規制するストッパ機構と、前記マグネットホルダの周縁部に設けられ、前記マグネットホルダを巻回するように配設されたコイルとを具備し、前記ストッパ機構によって前記マグネットホルダのそれ以上の回転が規制された状態では、前記磁石の磁力線と前記コイルの磁力線とが交差するようになっているものである。
【００１２】
ストッパ機構の一例として、前記第１の回転支持部に対向する前記マグネットホルダの端面上に設けられ、前記ベースに当接可能なストッパ突起がある。
ストッパ突起がベースに当接した際の衝撃力を緩和し、マグネットが静止するまでの時間を短くするために、ベースの前記ストッパ突起当接部と前記ストッパ突起とのうち少なくとも一方は弾性体であることが望ましい。
【００１３】
マグネットホルダの円滑な回転を得るために、前記第１の回転支持部に形成され、前記マグネットホルダの端面方向に延出するシャフト部と、前記マグネットホルダの前記第１の回転支持部との対向する端面の中心穿設され、前記シャフト部が嵌合する穴と、前記穴の底部に配設されるボールとを具備することが望ましく、更に、第２の回転支持部の前記マグネットホルダ対向する面の中心に形成されたくぼみと、前記マグネットホルダの前記第２の回転支持部と対向する面に形成されたくぼみと、前記２つのくぼみ間に配設されるボールとを具備することが望ましい。
【００１４】
マグネットホルダの軸方向にぶれを防止するために、前記第１及び第２の回転支持部は、前記マグネットホルダの軸方向に予圧がかかるように前記ベースに設けることが望ましく、更に、マグネットホルダと前記ベースと前記マグネットホルダとの線膨張係数は略等しいことが望ましい。
【００１５】
コイル非通電時に、磁石の磁界による光磁気ディスクに対する影響をなくするために、前記コイルの前記マグネットホルダの軸方向に対向する二辺に磁性体を配設することが望ましい。
【００１６】
【作用】
本発明の外部磁界機構において、コイルに電流を流すと、磁石の軸と垂直方向の磁界が発生し、磁石はコイルの磁界の方向と同一方向の磁界を発生する位置にならしめる回転力が発生し、ストッパ機構によりそれ以上の回転が規制されるまで回転する。
【００１８】
この時、磁石の磁力線とコイルの磁力線とは一致せず、交差している。
次に、先程とは逆方向の電流をコイルに流すと、コイルの中心に発生する磁界は先程とは逆方向となる。この時、磁石の磁力線とコイルの磁力線とは一致せず、交差しているので、磁石に回転力が発生し、磁石は必ず反転する。
【００１９】
ベースのストッパ突起当接部とストッパ突起とのうち少なくとも一方は弾性体としたことにより、ストッパ突起がベースに当接した際の衝撃力を緩和し、マグネットが静止するまでの時間を短くすることができる。
【００２０】
第１の回転支持部に形成され、マグネットホルダの端面方向に延出するシャフト部と、マグネットホルダの第１の回転支持部との対向する端面の中心に穿設され、シャフト部が嵌合する穴と、穴の底部に配設されるボールとを設けたことにより、又、第２の回転支持部の前記マグネットホルダ対向する面の中心に形成されたくぼみと、マグネットホルダの第２の回転支持部と対向する面に形成されたくぼみと、２つのくぼみ間に配設されるボールとを設けたことにより、マグネットホルダが円滑に回転する。
【００２１】
第１及び第２の回転支持部は、マグネットホルダの軸方向に予圧がかかるようにベースに設けたことにより、又、ベースとマグネットホルダとの線膨張係数は略等しく設定したことにより、温度変化によるマグネットホルダが軸方向にぶれることが防止される。
【００２２】
コイルのマグネットホルダの軸方向に対向する二辺に磁性体を配設したことにより、コイル非通電時に、磁石の極がこれら磁性体に一番近付いた状態となり、磁石の磁力線の方向は光磁気ディスクと略平行となり、磁石の磁力線による光磁気ディスクへの影響はほとんどなくなる。
【００２３】
【実施例】
次に、図１から図３を用いて、本発明の一実施例を説明する。図１は外部磁界装置の平面図、図２は図１における主要部の分解斜視図、図３は図１における作動を説明する図である。
【００２４】
これらの図において、１００はセットされた光磁気ディスクの記録面に対向して配設されるベースである。ベース１００の中心部には、光磁気ディスクのトラックを横切る方向に延出する長穴１０１が形成されている。この長穴１０１の周縁には、扁平楕円形のコイル１０２が配設されている。長穴１０１には、長手方向に棒状の形態を有し、幅方向に着磁された磁石１０３が設けられたマグネットホルダ１０４が配設されている。
【００２５】
ベース１００とマグネットホルダ１０４の材質は、略線膨張係数が等しく、又、少なくともどちらか一方が弾性を有するものから選定する。尚、本実施例においては、ベース１００の材質を亜鉛ダイキャスト、マグネットホルダ１０４の材質をベース１００の線膨張係数（３×１０−５ｍ／ｍ℃）と略同じ線膨張係数を有し、弾性を有するポリエステルイミド樹脂とした。
【００２６】
マグネットホルダ１０４の一方の端面には、穴１０４ｂと長穴１０１の周縁部に当接可能なストッパ突起１０４ａとが形成されている。又、マグネットホルダ１０４の他方の端面には、くぼみ（図示せず）が形成されている。ストッパ突起１０４ａは、図３に示すように、マグネットホルダ１０４が回転することにより、ベース１００に当接し、マグネットホルダ１０４の回転角範囲を１８０°未満（望ましくは、１２０°〜１５０°、本実施例では、１５０°）に規制するものである。
【００２７】
そして、磁石１０３は、ストッパ突起１０４ａによってマグネットホルダ１０４のそれ以上の回転が規制された状態では、磁石の磁力線１０３とコイル１０２の磁力線とが交差するようにマグネットホルダ１０４に取り付けられている。
【００２８】
１０５はマグネットホルダ１０４の一方の端面と対向するようにベース１００に取り付け金具１０６を用いて取り付けられる第１の回転支持部である。
そして、回転支持部１０５の端面に形成され、ボールとしての鋼球１１０を介してマグネットホルダ１０４の一方の端面に形成された穴１０４ｂに挿入されるシャフト部１０５ａによって、マグネットホルダ１０４の一方の端部は回転可能に支持されている。
【００２９】
１０７はマグネットホルダ１０４の他方の端面に対向するようにベース１００に取り付け金具１０８を用いて取り付けられる第２の回転支持部である。第２の回転支持部１０７のマグネットホルダ１０４との対向面には、くぼみ１０７ａが形成されている。そして、マグネットホルダ１０４の他方の端面のくぼみと第２の回転支持部１０７のくぼみとに係合するボールとしての鋼球１０８を介して、マグネットホルダ１０４の他方の端部は回転可能に支持されている。
【００３０】
又、第１の回転支持部１０５及び第２の回転支持部１０７は、マグネットホルダ１０４の軸方向に２０〜１００ｇｆ程度の予圧がかかるようにベース１００に取り付けられている。尚、予圧が大き過ぎると抵抗が大きくなり、マグネットホルダ１０４がスムーズに回転せず、予圧が小さ過ぎるとがたが生じやすい。尚、上記数値は本願発明者が実験を行ない求めた。
【００３１】
本実施例の外部磁界機構では、ストッパ突起１０４ａとベース１００の衝突による衝撃音の他、回転部のがたによるマグネットホルダ１０４のあばれも騒音の原因になることが実験的にわかった。そこで、鋼球１１０を介して予圧を掛けることで、回転部のがたが無くなり、マグネットホルダ１０４のあばれによる音を低減した。
【００３２】
マグネットホルダ１０４の軸方向に対向して延在するコイル１０２上には、２枚の鉄片１１１，１１２が設けられている。
次に、外部磁界機構の作動を図３を用いて説明する。コイル１０２に電流が流れていない状態（データの読み出し時）では、鉄片１１１，１１２により、マグネットホルダ１０４は磁石１０３のＮ極，Ｓ極が鉄片１１１，１１２に一番近付いた状態、即ち、（ｃ）に示すような状態にある。
【００３３】
光磁気ディスク１０からのデータの読み出し時に、膜面に垂直な磁界成分があると、何回も同一箇所を読み出すとデータが劣化してしまう。このため、ＩＳＯのディスク規格では、データの読み出し時の磁界の上限が規定されている。
【００３４】
本実施例では、磁石１０３によって発生する磁力線は、光磁気ディスク１０に対して略平行となる。一方、光磁気ディスク１０の磁化方向は、光磁気ディスク１０の膜面に対して垂直であるので、この場合は、磁石１０３によって発生する磁力線の影響はほとんどない。
【００３５】
次に、コイル１０２に電流を流すと、（ａ）又は（ｂ）に示すように、ある方向の磁界がコイル１０２の中心に発生し、磁石１０３はコイル１０２の磁界の方向と同一方向の磁界を発生する位置にならしめる回転力が発生し、ストッパ突起１０４ａによりそれ以上の回転が規制されるまで回転し、光磁気ディスク１０の膜面に対して略垂直方向の磁力線が発生する。
【００３６】
この時、磁石１０３の磁力線とコイル１０２の磁力線とは一致せず、交差している。
次に、先程とは逆方向の電流をコイル１０２に流すと、コイル１０２の中心に発生する磁界は先程とは逆方向となる。この時、磁石１０３の磁力線とコイルの磁力線とは概ね同一方向になってはいるが、ストッパ突起１０４ａにより、多少交差する成分が残るようになっているので、磁石１０３に回転力が発生し、磁石１０３は必ず反転する。
【００３７】
尚、（ａ）と（ｂ）との相違点は、コイル１０２に流れる電流の向きであり、本実施例では、（ａ）の状態を初期化時、（ｂ）の状態を記録時としている。
上記構成によれば、ストッパ突起１０４ａによりそれ以上の回転が規制された状態から、コイル１０２に逆方向に電流を流す場合、磁石１０３の磁力線とコイル１０２の磁力線とは交差成分を残すようになっているので、磁石１０３に回転力が発生し、磁石１０３は必ず反転する。
【００３８】
ベース１００とストッパ突起１０４とのうち少なくとも一方は弾性体としたことにより、ストッパを別に設ける必要がなく、更にスペースを小さくでき、ストッパ突起１０４がベース１００に当接した際の衝撃力を緩和し、当接時の騒音を小さくすることができる。マグネットホルダ１０４（磁石１０３）が静止するまでの時間を短くすることができる。
【００３９】
第１の回転支持部１０５に形成され、マグネットホルダ１０４の端面方向に延出するシャフト部１０５ａと、マグネットホルダ１０４の第１の回転支持部１０５との対向する端面の中心に穿設され、シャフト部１０５ａが嵌合する穴１０４ｂと、穴１０４ｂの底部に配設される鋼球１１０とを設けたことにより、又、第２の回転支持部１０７のマグネットホルダ１０４と対向する面の中心に形成されたくぼみと、マグネットホルダ１０４の第２の回転支持部１０７と対向する面に形成されたくぼみと、２つのくぼみ間に配設される鋼球１０８とを設けたことにより、マグネットホルダ１０４が円滑に回転する。
【００４０】
第１及び第２の回転支持部１０５，１０７は、マグネットホルダ１０４の軸方向に予圧がかかるようにベース１００に設けたことにより、又、マグネットホルダ１０４とベース１００との線膨張係数は略等しく設定したことにより、温度変化により、マグネットホルダ１０４が軸方向にぶれたり、逆にマグネットホルダ１０４が膨張し、回転しにくくなることが防止され、更に、回転時の騒音も少なくなる。
【００４１】
コイル１０２のマグネットホルダ１０４の軸方向に対向して延在する二辺に鉄片１１１，１１２を配設したことにより、コイル１０２非通電時に、磁石１０３の極がこれら鉄片１１１，１１２に一番近付いた状態となり、磁石１０３の磁力線の方向は光磁気ディスク１０と略平行となり、磁石１０３の磁力線による光磁気ディスクへの影響はほとんどなくなり、データの読み出し時に磁界がかかってデータが劣化することがなくなる。
【００４２】
【発明の効果】
以上述べたように本発明の外部磁界機構によれば、ストッパ機構によって前記マグネットホルダのそれ以上の回転が規制された状態では、前記磁石の磁力線と前記コイルの磁力線とが交差するようにしたことにより、ストッパ機構によりそれ以上の回転が規制された状態から、コイルに逆方向に電流を流す場合、磁石の磁力線とコイルの磁力線とは一致せず、交差しているので、磁石に回転力が発生し、磁石は必ず反転する。
【００４３】
ベースのストッパ機構当接部とストッパ突起とのうち少なくとも一方は弾性体としたことにより、ストッパ突起がベースに当接した際の衝撃力を緩和し、マグネットが静止するまでの時間を短くすることができる。
【００４４】
第１の回転支持部に形成され、マグネットホルダの端面方向に延出するシャフト部と、マグネットホルダの第１の回転支持部との対向する端面の中心に穿設され、シャフト部が嵌合する穴と、穴の底部に配設されるボールとを設けたことにより、又、第２の回転支持部の前記マグネットホルダ対向する面の中心に形成されたくぼみと、マグネットホルダの第２の回転支持部と対向する面に形成されたくぼみと、２つのくぼみ間に配設されるボールとを設けたことにより、マグネットホルダが円滑に回転する。
【００４５】
第１及び第２の回転支持部は、マグネットホルダの軸方向に予圧がかかるようにベースに設けたことにより、又、ベースとマグネットホルダとの線膨張係数は略等しく設定したことにより、温度変化によるマグネットホルダが軸方向にぶれることが防止される。
【００４６】
コイルのマグネットホルダの軸方向に対向する二辺に磁性体を配設したことにより、コイル非通電時に、磁石の極がこれら磁性体に一番近付いた状態となり、磁石の磁力線の方向は光磁気ディスクと略平行となり、磁石の磁力線による光磁気ディスクへの影響はほとんどなくなる。
【図面の簡単な説明】
【図１】外部磁界機構の平面図である。
【図２】図１における主要部の分解斜視図である。
【図３】図１に作動を説明する図である。
【図４】特開平２−３０１００１号公報に記載された外部磁界発生装置の平面図である。
【図５】図４における断面図である。
【符号の説明】
１００  ベース
１０１  長穴
１０２  コイル
１０３  磁石
１０４  マグネットホルダ
１０４ａ  ストッパ突起（ストッパ機構）
１０５  第１の回転支持部
１０７  第２の回転支持部
【図１】
0003554040.tif 000002
【図２】
0003554040.tif 000003
【図３】
0003554040.tif 000004
【図４】
0003554040.tif 000005
【図５】
0003554040.tif 000006